(57)【要約】      （修正有）【課題】本考案は、フィットネス装置を提供する。【解決手段】頂面側及び底面側を有する本体と、本体の下方に設けられ、且つ収納空間を有するベースと、支持シートと、軸受群と、偏心ブロックと、配向部材と、を含み、本体とベースとの間に設けられる連動装置と、ベースの収納空間内に設けられ、且つ動力出力を連動装置に提供する駆動装置と、を備え、連動装置の配向部材は、本体のベースに対する位置を限定し、又は本体のベースに対する回動方向を限定するフィットネス装置。これにより、本考案のフィットネス装置は、本体のベースに対する異なる位置又は異なる回動方向によって、異なる筋肉群に対して筋力訓練を行うことができる。【選択図】図３
0003221504.tif 000002
【実用新案登録請求の範囲】
【請求項１】
頂面側及び底面側を有する本体と、
底面が下向き且つ凹む上蓋と、前記上蓋を封止して収納空間を形成する下蓋と、を含み、前記本体の下方に設けられるベースと、
ロック素子によって前記本体の前記底面側に連結され、位置規制溝を含む支持シートと、軸受群であって、一端が前記支持シートに貫通される主体軸受と、一端が前記主体軸受の他端に接続され、他端が前記ベースの前記上蓋の頂面に固設される軸受ベースと、を含み、前記支持シートに接続される前記軸受群と、一端が前記主体軸受に枢接され、他端が前記軸受ベースの中に嵌設される偏心ブロックと、前記ベースの前記上蓋の前記頂面に固設され、且つ順次に前記支持シートの前記位置規制溝及び前記本体に貫通される配向部材と、を含み、前記本体と前記ベースとの間に設けられる連動装置と、
前記ベースの前記収納空間内に設けられ、且つ動力出力を前記連動装置に提供する駆動装置と、
を備え、
前記配向部材は、前記本体の前記ベースに対する位置を限定し、又は前記本体の前記ベースに対する回動方向を限定するフィットネス装置。
【請求項２】
前記駆動装置は、
出力軸を有するドライブモータと、
前記ドライブモータの前記出力軸に接続され且つ前記ドライブモータの出力方向を転換する能動歯車と、前記能動歯車の中に嵌設され、且つその一側が前記偏心ブロックに連結される能動軸と、前記能動歯車及び前記能動軸外に嵌設される能動軸受と、を含み、前記ドライブモータに接続される減速歯車装置と、
を含み、
前記ドライブモータの前記出力軸が回動する場合、前記減速歯車装置の前記能動軸を連動させて、更に前記偏心ブロックが同期的に軸方向で回動するように連動させて遠心力を形成し、且つ前記遠心力を前記本体に伝達して前記本体を回動させる、請求項１に記載のフィットネス装置。
【請求項３】
前記減速歯車装置は、
ロッドと、前記ロッドの外側を囲むように設けられ、且つ前記能動歯車に噛み合うねじ山部と、を有するウォームと、
前記ロッドの一端に嵌設される従動歯車と、
前記ロッドの他端に嵌設される従動軸受と、
を更に含む請求項２に記載のフィットネス装置。
【請求項４】
前記配向部材は、
左配向柱及び右配向柱を有する配向ブロックと、
それぞれ前記左配向柱及び前記右配向柱の中に貫通される２つの配向鉄軸と、
前記２つの配向鉄軸に磁気的に接続される誘導磁石と、
前記誘導磁石の下方に設けられる誘導プレートと、
を含む請求項１に記載のフィットネス装置。
【請求項５】
前記本体は、使用者により把握される少なくとも１つのハンドルを含む請求項１に記載のフィットネス装置。
【請求項６】
前記本体は、前記本体の前記頂面側に設けられ、且つ少なくとも１つの制御ボタンを含む操作パネルを含む請求項１に記載のフィットネス装置。
【請求項７】
前記本体は、前記本体の前記頂面側に設けられ、使用者の体部分を支持するための支持部を含む請求項１に記載のフィットネス装置。
【請求項８】
前記本体は、前記支持部に設けられる滑り止めパッドを更に含む請求項７に記載のフィットネス装置。
【請求項９】
前記滑り止めパッドは、複数の滑り止め紋様を含む請求項８に記載のフィットネス装置。
【請求項１０】
前記滑り止めパッドには、複数の滑り止め突起を含む請求項８に記載のフィットネス装置。
【考案の詳細な説明】
【技術分野】
【０００１】
本考案は、特に人体の特定の部分に適合する訓練用器材に関し、特に、筋肉群の訓練に用いられるフィットネス装置に関する。
【背景技術】
【０００２】
筋肉は、収縮可能な動物組織であり、骨格筋、心筋及び平滑筋の３つに分けられ、その機能としては何れも力を発生させて運動させることである。例えば、心臓の収縮或いは胃腸部の蠕動等のような、心筋及び平滑筋の収縮は、意識により制御されず且つ生存に必要なものである。例えば、目の運動又は大腿四頭筋全体の運動のような、骨格筋の自発的な収縮は、体を移動することに用いられ、且つ正確に制御され得る。
【０００３】
骨格筋は、骨を連動させて体を活動させ、様々な表情等を表すようにし、直接骨及び関節を保護し、損傷を減少させ、及び反応をより鋭敏にすることができる。また、体温作り、基礎代謝率の促進、血液循環の協力、生命用の貯蔵血糖の維持、血液酸素の調節等のような、骨格筋が様々な生命の維持活動に参与して、体を健康の状態にする。また、骨格筋が同重量の脂肪よりも５倍多くのエネルギーを燃焼するので、骨格筋の含有量の高い人であれば、新陳代謝及び脂肪低下能力を向上させることで、好適な体付きを維持することができる。
【考案の概要】
【考案が解決しようとする課題】
【０００４】
また、研究によると、筋力訓練は、除脂肪組織（ｌｅａｎ  ｂｏｄｙ  ｍａｓｓ）の活性を強化することができ、体内のグルコース代謝に寄与する。国外の研究によると、被験者は、筋力及び筋持久力の状態が良いほど、死亡率が低い。そのため、エイジフリーになり、及び老化を阻止しようとすれば、骨格筋の強度を維持し及び骨格筋の機能を改善するために、筋力訓練を持続的に行わなければならない。これに鑑みて、如何に老若男女の各人群が日常生活において異なる筋肉群に対して筋力訓練を行って、体の健康を促進し及び良好な体付きを維持するかは、現在、至急に達成されるべき目標である。
【課題を解決するための手段】
【０００５】
本考案の一実施形態は、頂面側及び底面側を有する本体と、底面が下向き且つ凹む上蓋と、上蓋を封止して収納空間を形成する下蓋と、を含み、本体の下方に設けられるベースと、ロック素子によって本体の底面側に連結され、位置規制溝を含む支持シートと、軸受群であって、一端が支持シートに貫通される主体軸受と、一端が主体軸受の他端に接続され、他端がベースの上蓋の頂面に固設される軸受ベースと、を含み、支持シートに接続される前記軸受群と、一端が主体軸受に枢接され、他端が軸受ベースの中に嵌設される偏心ブロックと、ベースの上蓋の頂面に固設され、且つ順次に支持シートの位置規制溝及び本体に貫通される配向部材と、を含み、本体とベースとの間に設けられる連動装置と、ベースの収納空間内に設けられ、且つ動力出力を連動装置に提供する駆動装置と、を備え、配向部材は、本体のベースに対する位置を限定し、又は本体のベースに対する回動方向を限定するフィットネス装置を提供する。
【０００６】
前記実施形態のフィットネス装置によると、駆動装置は、出力軸を有するドライブモータと、ドライブモータの出力軸に接続され且つドライブモータの出力方向を転換する能動歯車と、能動歯車の中に嵌設され、且つその一側が偏心ブロックに連結される能動軸と、能動歯車及び能動軸外に嵌設される能動軸受と、を含み、ドライブモータに接続される減速歯車装置と、を含んでよい。ドライブモータの出力軸が回動する場合、減速歯車装置の能動軸を連動させて、更に偏心ブロックが同期的に軸方向で回動するように連動させて遠心力を形成し、且つこの遠心力を本体に伝達して本体を回動させる。
【０００７】
前記実施形態のフィットネス装置によると、減速歯車装置は、ロッドと、ロッドの外側を囲むように設けられ、且つ能動歯車に噛み合うねじ山部と、を有するウォームと、ロッドの一端に嵌設される従動歯車と、ロッドの他端に嵌設される従動軸受と、を更に含んでよい。
【０００８】
前記実施形態のフィットネス装置によると、配向部材は、左配向柱及び右配向柱を有する配向ブロックと、それぞれ左配向柱及び右配向柱の中に貫通される２つの配向鉄軸と、２つの配向鉄軸に磁気的に接続される誘導磁石と、誘導磁石の下方に設けられる誘導プレートと、を含んでよい。
【０００９】
前記実施形態のフィットネス装置によると、本体は、使用者により把握される少なくとも１つのハンドルを含くんでよい。
【００１０】
前記実施形態のフィットネス装置によると、本体は、本体の頂面側に設けられ、且つ少なくとも１つの制御ボタンを含んでよい操作パネルを含んでよい。
【００１１】
前記実施形態のフィットネス装置によると、本体は、本体の頂面側に設けられ、使用者の体部分を支持するための支持部を含んでよい。
【００１２】
前記実施形態のフィットネス装置によると、本体は、支持部に設けられる滑り止めパッドを更に含んでよい。
【００１３】
前記実施形態のフィットネス装置によると、滑り止めパッドは、複数の滑り止め紋様を含んでよい。
【００１４】
前記実施形態のフィットネス装置によると、滑り止めパッドには、複数の滑り止め突起を含んでよい。
【考案の効果】
【００１５】
これにより、本考案は、室内で随時使用可能なフィットネス装置を提供し、本体のベースに対する異なる位置又は異なる回動方向によって、異なる筋肉群に対して筋力訓練を行うことができ、筋を伸ばし及びマッサージする等の多重の運動機能を有し、新陳代謝の加速、健康の促進及び体の曲線の修飾等の目的を達成する。
【図面の簡単な説明】
【００１６】
下記の添付図面についての説明は、本考案の上記及び他の目的、特徴、メリットと実施例をより分かりやすくするためのものである。
【図１】本考案の一実施形態の一実施例のフィットネス装置を示す斜視図である。
【図２】図１の実施例のフィットネス装置を示す分解図である。
【図３】図１の実施例のフィットネス装置を示す分解組立図である。
【図４】図１の実施例のフィットネス装置の別の方向を示す分解組立図である。
【図５】図１の実施例のフィットネス装置の作動状態を示す断面図である。
【図６】図１の実施例のフィットネス装置の別の作動状態を示す断面図である。
【図７】図１の実施例のフィットネス装置の使用状態を示す模式図である。
【図８】図１の実施例のフィットネス装置の別の使用状態を示す模式図である。
【考案を実施するための形態】
【００１７】
以下、図面を参照して本考案の複数の実施例を説明する。明確に説明するために、数多くの実際の細部を下記で合わせて説明する。しかしながら、これらの実際の細部は、本考案を制限することに用いられることは理解すべきである。つまり、本考案の一部の実施例において、これらの実際の細部は、必要なものではない。また、図面を簡単化するために、ある従来で慣用である構造と素子は図面で簡単に示される。また、重複した素子を同一の番号で示すことがある。
【００１８】
図１、図２、図３及び図４を参照されたい。図１は、本考案の一実施形態の一実施例のフィットネス装置１００を示す斜視図である。図２は、図１の実施例のフィットネス装置１００を示す分解図である。図３は、図１の実施例のフィットネス装置１００を示す分解組立図である。図４は、図１の実施例のフィットネス装置１００の別の方向を示す分解組立図である。
【００１９】
フィットネス装置１００は、本体２００、ベース３００、連動装置４００及び駆動装置５００を備える。ベース３００が本体２００の下方に設けられる。連動装置４００が本体２００とベース３００との間に設けられる。駆動装置５００がベース３００内に設けられる。
【００２０】
本体２００は、頂面側２１０及び底面側２２０を有する。本体２００は、少なくとも１つのハンドル２３０、操作パネル２４０、支持部２５０及び滑り止めパッド２６０を含んでよい。少なくとも１つのハンドル２３０は、使用者により把握される。図１の実施例のフィットネス装置１００において、それぞれ使用者の左手及び右手により把握される２つのハンドル２３０があってよい。操作パネル２４０が本体２００の頂面側２１０に設けられる。図１の実施例のフィットネス装置１００において、操作パネル２４０は、２つのハンドル２３０の間に設けられ、且つ使用者により異なる回動方向又は回動モードを選択するための少なくとも１つの制御ボタン２４１を含んでよい。支持部２５０は、本体２００の頂面側２１０に設けられ、使用者の体部分を支持することに用いられる。滑り止めパッド２６０は、支持部２５０に設けられ、使用者が本考案のフィットネス装置１００によって運動する場合に滑り落ちないようにする複数の滑り止め紋様２６１又は複数の滑り止め突起（未図示）を含んでよい。
【００２１】
ベース３００は、上蓋３１０及び下蓋３２０を含む。上蓋３１０は、頂面３１１及び底面３１２を有する。上蓋３１０の底面３１２が下向き且つ凹み、下蓋３２０が上蓋３１０を封止して収納空間３３０を形成する。
【００２２】
連動装置４００は、支持シート４１０、軸受群４２０、偏心ブロック４３０及び配向部材４４０を含む。支持シート４１０は、ロック素子４５０によって本体２００の底面側２２０に連結され、且つ位置規制溝４１１を含む。軸受群４２０は、支持シート４１０に接続され、主体軸受４２１及び軸受ベース４２２を含む。主体軸受４２１は、一端が支持シート４１０に貫通され、軸受ベース４２２の一端が主体軸受４２１の他端に接続され、軸受ベース４２２の他端がベース３００の上蓋３１０の頂面３１１に固設される。偏心ブロック４３０は、一端が主体軸受４２１に枢接され、他端が軸受ベース４２２の中に嵌設される。配向部材４４０は、ベース３００の上蓋３１０の頂面３１１に固設され、且つ順次に支持シート４１０の位置規制溝４１１及び本体２００に貫通される。配向部材４４０は、誘導磁石４４１、配向ブロック４４２、２つの配向鉄軸４４５及び誘導プレート４４６を含んでよい。配向ブロック４４２は、左配向柱４４３及び右配向柱４４４を有し、２つの配向鉄軸４４５がそれぞれ左配向柱４４３及び右配向柱４４４の中に貫通される。誘導磁石４４１が２つの配向鉄軸４４５に磁気的に接続され、誘導プレート４４６が誘導磁石４４１の下方に設けられる。
【００２３】
駆動装置５００は、ベース３００の収納空間３３０内に設けられ、且つ動力出力を連動装置４００に提供する。駆動装置５００は、ドライブモータ５１０と、減速歯車装置５２０と、を含んでよい。ドライブモータ５１０は、出力軸５１１を有する。減速歯車装置５２０は、ドライブモータ５１０に接続され、能動歯車５２１、能動軸５２２、能動軸受５２３、ウォーム５２４、従動歯車５２７及び従動軸受５２８を含んでよい。能動歯車５２１は、ドライブモータ５１０の出力軸５１１に接続され且つドライブモータ５１０の出力方向を転換する。能動軸５２２は、能動歯車５２１の中に嵌設され、且つその一側が偏心ブロック４３０に連結される。能動軸受５２３が能動歯車５２１及び能動軸５２２外に嵌設される。ウォーム５２４は、ねじ山部５２５及びロッド５２６を有する。ねじ山部５２５は、ロッド５２６の外側を囲むように設けられ、且つ能動歯車５２１に噛み合う。従動歯車５２７がロッド５２６の一端に嵌設される。従動軸受５２８がロッド５２６の他端に嵌設される。
【００２４】
図５及び図６を参照されたい。図５は、図１の実施例のフィットネス装置１００の作動状態を示す断面図である。図６は、図１の実施例のフィットネス装置１００の別の作動状態を示す断面図である。
【００２５】
図５及び図６に示すように、ドライブモータ５１０の出力軸５１１が回動する場合、減速歯車装置５２０の能動軸５２２を連動させて、更に偏心ブロック４３０が同期的に軸方向で回動するように連動させて遠心力を形成する。且つこの遠心力が本体２００に伝達されて本体２００を回動させる。本考案のフィットネス装置１００は、異なる回動モード及び定点モードを有し、配向部材４４０によって本体２００のベース３００に対する位置を限定し、又は配向部材４４０によって本体２００のベース３００に対する回動方向を限定する。使用者が操作パネル２４０における制御ボタン２４１によって異なる回動モード又は定点モードを設定する場合、誘導プレート４４６は、２つの配向鉄軸４４５に磁気的に接続される誘導磁石４４１によって本体２００の現在のベース３００に対する回動方向を検知し、更に使用者により設定された定点モードによって本体２００のベース３００に対する位置を限定し、又は使用者により設定された回動モードによって本体２００のベース３００に対する回動方向を限定することができる。例えば、定点モードとして、本体２００がベース３００の位置に対して左前方、左後方、右後方又は右前方へ傾斜するように限定することを含んでよい。回動モードとしては、本体２００がベース３００に対して前半分回りで１８０度程度で回動し、左半分回りで１８０度程度で回動し、右半分回りで１８０度程度で回動し又は３６０度で軸方向に回動するように限定することを含んでよい。
【００２６】
図７及び図８を参照されたい。図７は、図１の実施例のフィットネス装置１００の使用状態を示す模式図である。図８は、図１の実施例のフィットネス装置１００の別の使用状態を示す模式図である。実際的に使用する場合、本考案のフィットネス装置１００であれば、使用者が腹ばいになって又は座って使用することができる。
【００２７】
図７に示すように、使用者は、腹ばいになって（例えば、プランク）本考案のフィットネス装置１００を使用する場合、腹ばいになった後で２つの肘を曲げて本体２００の支持部２５０に支持し、両手で更にハンドル２３０を把握し、肩及び肘関節が本体２００に垂直であるようにし、つま先が着地し且つ体が地面から離れ、また胴体をまっすぐに伸ばして、頭部、肩部、臀部及び股部を面一に保持し、大筋肉群の全面的な運動を行う。使用者が特定の筋肉群を訓練しようとする場合、また本考案のフィットネス装置１００の異なる回動モード又は異なる定点モードを選択してよく、回動モード及び定点モードがそれぞれ４つもある。
【００２８】
使用者が第１の回動モードを選択する場合、配向部材４４０により限定された本体２００のベース３００に対する回動モードは、使用者の胴体に対して前半分回りで１８０度程度で回動するものであり、主として使用者の体の前筋肉群における三角筋及び大胸筋、及びコアマッスルにおける上段腹直筋を訓練することができる。使用者が第２の回動モードを選択する場合、本体２００のベース３００に対する回動モードは、３６０度で軸方向に回動するものであり、主として使用者のコアマッスルにおける上段腹直筋、中段腹直筋、下段腹直筋及び左右の両側の外腹斜筋、及び体の前筋肉群における大胸筋を訓練することができる。使用者が第３の回動モードを選択する場合、本体２００のベース３００に対する回動モードは、使用者の体の左胴体に対して左半分回りで１８０度程度で回動するものであり、主として使用者の左三角筋、左外腹斜筋及び左股外肌等の左側筋肉群を訓練することができる。使用者が第４の回動モードを選択する場合、本体２００のベース３００に対する回動モードは、使用者の体右胴体に対して右半分回りで１８０度程度で回動するものであり、主として使用者の右三角筋、右外腹斜筋及び右股外肌等の右側筋肉群を訓練することができる。
【００２９】
使用者が第１の定点モードを選択する場合、配向部材４４０は、本体２００がベース３００の位置に対して、使用者の胴体の右前方へ傾斜するように限定し、主として使用者の体の前筋肉群における三角筋及び大胸筋、及びコアマッスルにおける上段腹直筋を訓練することができる。使用者が第２の定点モードを選択する場合、配向部材４４０は、本体２００がベース３００の位置に対して、使用者の胴体の左後方へ傾斜するように限定し、主として、使用者のコアマッスルにおける上段腹直筋、中段腹直筋、下段腹直筋及び左右の両側の外腹斜筋、及び体の前筋肉群における大胸筋を訓練することができる。使用者が第３の定点モードを選択する場合、配向部材４４０は、本体２００がベース３００の位置に対して使用者の胴体の左前方へ傾斜するように限定し、主として、使用者の左三角筋、左外腹斜筋及び左股外肌等の左側筋肉群を訓練することができる。使用者が第４の定点モードを選択する場合、配向部材４４０は、本体２００がベース３００の位置に対して使用者の胴体の右後方へ傾斜するように限定し、主として、使用者の右三角筋、右外腹斜筋及び右股外肌等の右側筋肉群を訓練することができる。
【００３０】
図８に示すように、使用者は、本考案のフィットネス装置１００を座って使用する場合、その臀部が本体２００の支持部２５０に座り、両足が着地し上胴体をまっすぐに伸ばし、また本考案のフィットネス装置１００の本体２００のベース３００に対する３６０度の軸方向での回動に合わせて、本体２００が回動する場合に上胴体をまっすぐに伸ばす状態を保持することで、使用者のコアマッスルにおける上段腹直筋、中段腹直筋、下段腹直筋及び左右の両側の外腹斜筋、及び体の前筋肉群における大胸筋を訓練し、背部及び腹外側部の筋肉を伸ばすことができる。また、滑り止めパッド２６０に滑り止め突起が設けられる場合、使用者は、本考案のフィットネス装置１００によって運動する場合、更に、突起によって使用者の体部分をマッサージし、マッサージの効果を達成することができる。
【００３１】
これにより、本考案は、室内で随時使用可能なフィットネス装置を提供し、例えばランニングマシン又はステーショナリーバイク等のような空間を占め及び運搬が不便である等の問題のある製品を必要とせず、本体のベースに対する異なる位置又は異なる回動方向によって、異なる筋肉群に対して筋力訓練を行うことで、背部及び腹外側部の筋肉を伸ばし及びマッサージする等の多重の運動機能を持ち、新陳代謝の加速、体健康の促進及び体の曲線の修飾等の目的を達成することができる。
【００３２】
本考案の実施形態を前記の通りに開示したが、これは、本考案を限定するものではなく、当業者なら誰でも、本考案の精神と範囲から逸脱しない限り、多様の変更や修正を加えることができるので、本考案の保護範囲は、後の添付の実用新案登録請求の範囲で指定した内容を基準とする。
【符号の説明】
【００３３】
１００  フィットネス装置
２００  本体
２１０  頂面側
２２０  底面側
２３０  ハンドル
２４０  操作パネル
２４１  制御ボタン
２５０  支持部
２６０  滑り止めパッド
２６１  滑り止め紋様
３００  ベース
３１０  上蓋
３１１  頂面
３１２  底面
３２０  下蓋
３３０  収納空間
４００  連動装置
４１０  支持シート
４１１  位置規制溝
４２０  軸受群
４２１  主体軸受
４２２  軸受ベース
４３０  偏心ブロック
４４０  配向部材
４４１  誘導磁石
４４２  配向ブロック
４４３  左配向柱
４４４  右配向柱
４４５  配向鉄軸
４４６  誘導プレート
４５０  ロック素子
５００  駆動装置
５１０  ドライブモータ
５１１  出力軸
５２０  減速歯車装置
５２１  能動歯車
５２２  能動軸
５２３  能動軸受
５２４  ウォーム
５２５  ねじ山部
５２６  ロッド
５２７  従動歯車
５２８  従動軸受
【図１】
0003221504.tif 000003
【図２】
0003221504.tif 000004
【図３】
0003221504.tif 000005
【図４】
0003221504.tif 000006
【図５】
0003221504.tif 000007
【図６】
0003221504.tif 000008
【図７】
0003221504.tif 000009
【図８】
0003221504.tif 000010